(57)【特許請求の範囲】
【請求項１】
単数又は積層された複数の透明板を備え、
前記単数又は複数の透明板の表裏の主面のうち、鑑賞側からの深さの異なる２以上の主面に、それぞれ画像が印刷されており、
前記２以上の主面は、互いに重なる領域に同一物体の全体又は同一部分の画像が印刷された２つの主面を含んでおり、そのうち前記鑑賞側から浅い方の主面には、深い方の主面の画像に対し、段階的又は連続的に、画像が表現する対象物のうち前記鑑賞側に膨らみ出た部分が濃く、逆に後退した部分が薄くなる半透明の画像が印刷されており、
前記深い方の主面の画像には、不透明の下地が重ねて印刷されている、鑑賞用構造体。
【請求項２】
単数又は積層された複数の透明板を備え、
前記単数又は複数の透明板の表裏の主面のうち、鑑賞側からの深さの異なる２以上の主面に、それぞれ画像が印刷されており、
前記２以上の主面は、互いに重なる領域に同一物体の全体又は同一部分の画像が印刷された２つの主面を含んでおり、そのうち前記鑑賞側から浅い方の主面には、深い方の主面の画像に対し、段階的又は連続的に中央部が濃く周辺部が薄くなる半透明の画像が印刷されており、
前記深い方の主面の画像には、不透明の下地が重ねて印刷されている、鑑賞用構造体。
【請求項３】
前記単数又は複数の透明板は複数の透明板であり、前記２以上の主面は、いずれも、前記鑑賞側から見て各透明板の裏側の主面である、請求項１又は２に記載の鑑賞用構造体。  
【請求項４】
前記２以上の主面は、同一物体の異なる部分の画像が分けて印刷された、前記鑑賞側からの深さの異なる主面を含んでいる、請求項１から３のいずれかに記載の鑑賞用構造体。
【請求項５】
前記単数又は複数の透明板の各々よりも厚く、かつ画像が印刷されておらず、前記単数又は複数の透明板の前記鑑賞側又はその反対側又はそれら双方に積層されている別の透明板を、さらに備える請求項１から４のいずれかに記載の鑑賞用構造体。
【請求項６】
全ての透明板の周囲を囲む不透明の枠体を、さらに備える請求項１から５のいずれかに記載の鑑賞用構造体。
【請求項７】
前記鑑賞側から最も深い側に位置する透明板の、前記鑑賞側から見た裏側の主面を覆う不透明の覆いを、さらに備える請求項６に記載の鑑賞用構造体。
【発明の詳細な説明】
【技術分野】
【０００１】
本発明は、鑑賞用構造体に関し、特に、画像の立体感を演出するとともに量産に適する技術に関する。
【背景技術】
【０００２】
従来、水槽、池などの水中に何匹もの魚が泳いでいる様子をあしらうとともに、これらの魚が水中の浅いところ、深いところに、泳いでいるかのように立体的に見えるように演出した置物が知られている。この置物は、樹脂を枠に流し込んで固めては魚の画像を塗り、さらに樹脂を流し込んで固めて画像を塗る、という方法で製作されるものであった。しかし、この製作技術は、手間を要するとともに、一品製作的な技術であり、量産には適しないものとなっていた。なお、特許文献１は、前後２枚の平板状透明アクリル樹脂板の間に、装飾シートが介装されている置物を開示している。
【先行技術文献】
【特許文献】
【０００３】
【特許文献１】特開2010-125717号公報
【発明の概要】
【発明が解決しようとする課題】
【０００４】
本発明は上記の問題点に鑑みてなされたもので、画像の立体感を演出するとともに、量産に適する鑑賞用構造体を提供することを目的とする。
【課題を解決するための手段】
【０００５】
上記課題を解決し上記目的を達成するために、本発明のうち第１の態様によるものは、鑑賞用構造体であって、単数又は積層された複数の透明板を備え、前記単数又は複数の透明板の表裏の主面のうち、鑑賞側からの深さの異なる２以上の主面に、それぞれ画像が印刷されている。
【０００６】
この構成によれば、単数又は積層された複数の透明板からなる透明体の中に、鑑賞側から見て、深さの異なる位置に画像が配置されることとなるので、画像に奥行き感が加わる。例えば、魚や亀などの画像が、鑑賞側から見て距離の異なる透明板の主面に印刷されることにより、それらが水中の浅いところ、深いところに泳いでいるかのように、鑑賞者に立体的に見せることができる。また、この構成は、画像を透明板の主面に印刷し、透明板が複数であれば、その後に透明板を重ね合わせることにより製造できるので、量産が容易である。すなわち、透明体の中に配置された奥行き感ある画像を鑑賞可能にするとともに、量産に適した鑑賞用構造体が実現する。なお、本発明において「鑑賞側からの深さ」とは、上から見下ろして鑑賞する観賞用構成体の場合のように上下方向の深さを意味するだけではなく、鑑賞側から見てどの程度奥の方に位置するか、を広く意味し、例えば正面から鑑賞する観賞用構成体の場合のように、水平方向の深さなども含む。
【０００７】
本発明のうち第２の態様によるものは、第１の態様による鑑賞用構造体であって、前記単数又は複数の透明板は複数の透明板であり、前記２以上の主面は、いずれも、前記鑑賞側から見て各透明板の裏側の主面である。
【０００８】
この構成によれば、透明板への印刷が、鑑賞側から見て裏側の主面になされているので、鑑賞側から見た画像の表面に微細な凹凸が無く、画像が美的に映る。
【０００９】
本発明のうち第３の態様によるものは、第１又は第２の態様による鑑賞用構造体であって、前記２以上の主面は、互いに重なる領域に同一物体の全体又は同一部分の画像が印刷された２つの主面を含んでおり、そのうち前記鑑賞側から浅い方の主面には、深い方の主面の画像に対し、段階的又は連続的に、画像が表現する対象物のうち前記鑑賞側に膨らみ出た部分が濃く、逆に後退した部分が薄くなる半透明の画像が印刷されている。
【００１０】
この構成によれば、同一物体の全体又は一部分である対象物の画像に膨らみのある奥行き感が加味される。特に、対象物の中央部が膨らみ出ている訳ではない場合、例えば、膨らみ出た部分が幾つもあるような対象物であっても、その画像に、立体感が演出される。
【００１１】
本発明のうち第４の態様によるものは、第１から第３のいずれかの態様による鑑賞用構造体であって、前記２以上の主面は、互いに重なる領域に同一物体の全体又は同一部分の画像が印刷された２つの主面を含んでおり、そのうち前記鑑賞側から浅い方の主面には、深い方の主面の画像に対し、段階的又は連続的に中央部が濃く周辺部が薄くなる半透明の画像が印刷されている。
【００１２】
この構成によれば、同一物体の全体又は一部分に膨らみのある奥行き感が加味される。例えば、魚の胴体の膨らみや、亀の甲羅の膨らみに、立体感を演出することができる。
【００１３】
本発明のうち第５の態様によるものは、第３又は第４の態様による鑑賞用構造体であって、前記深い方の主面の画像には、不透明の下地が重ねて印刷されている。
【００１４】
この構成によれば、本来半透明ではない物体の全体又はその一部について、その画像が半透明となることを防止できる。例えば、魚の胴体、亀の甲羅が半透明に見えることを防ぐことができる。
【００１５】
本発明のうち第６の態様によるものは、第１から第５のいずれかの態様による鑑賞用構造体であって、前記２以上の主面は、同一物体の異なる部分の画像が分けて印刷された、前記鑑賞側からの深さの異なる主面を含んでいる。
【００１６】
この構成によれば、同一物体に奥行き感が加味される。例えば、一匹の亀の甲羅と手足の画像が深さの異なる主面に印刷されることにより、手足は甲羅よりも水中の深い部位にあるかのように、立体感が演出される。
【００１７】
本発明のうち第７の態様によるものは、第１から第６のいずれかの態様による鑑賞用構造体であって、前記単数又は複数の透明板の各々よりも厚く、かつ画像が印刷されておらず、前記単数又は複数の透明板の前記鑑賞側又はその反対側又はそれら双方に積層されている別の透明板を、さらに備える。
【００１８】
この構成によれば、別の透明板により、透明体全体に奥行きが加わる。それにより、例えば、魚等が水面よりも沈んでいる感じ、又は水底よりも浮いている感じ、あるいはそれら双方の印象を、鑑賞者により強く与えることができる。
【００１９】
本発明のうち第８の態様によるものは、第１から第７のいずれかの態様による鑑賞用構造体であって、全ての透明板の周囲を囲む不透明の枠体を、さらに備える。
【００２０】
この構成によれば、積層されている全ての透明板の境界が、不透明の枠体により隠れるので、全ての透明板の一体感が、鑑賞者により強く印象づけられる。
【００２１】
本発明のうち第９の態様によるものは、第８の態様による鑑賞用構造体であって、前記鑑賞側から最も深い側に位置する透明板の、前記鑑賞側から見た裏側の主面を覆う不透明の覆いを、さらに備える。
【００２２】
この構成によれば、透明体には鑑賞者から見た浅い側からのみ、外光が入ることとなる。このため、透明体の中に配置された印刷画像が、より見易くなる。また、例えば、魚や亀などの画像が配置された場合には、立体感ある水槽あるいは池の様子を、あたかも水面上から覗き見るような印象を、鑑賞者により強く与えることができる。
【発明の効果】
【００２３】
以上のように、本発明によれば、画像の立体感を演出するとともに、量産に適する鑑賞用構造体が得られる。
【図面の簡単な説明】
【００２４】
【図１】本発明の一実施の形態による鑑賞用構造体の写真である。
【図２】図１の鑑賞用構造体の縦断面図である。
【図３】図１の鑑賞用構造体の一部の画像が印刷された積層透明板の平面図である。
【図４】図３の積層透明板のうち魚の画像が印刷された部分の構造を示す説明図である。
【図５】図３の積層透明板のうち亀の画像が印刷された部分の構造を示す説明図である。
【図６】図５の構造の変形形態を例示する断面図である。
【発明を実施するための形態】
【００２５】
図１は本発明の一実施の形態による鑑賞用構造体の写真であり、図２はその縦断面図である。この鑑賞用構造体１０１は置物であり、矩形の枠体１と、その底面に固着された底板３と、これらが成す枡状の容器の中に嵌め込むように収容された積層透明板１０とを有している。積層透明板１０は、積層された複数の透明板１１〜１６を有している。透明板１１〜１６は、例えばアクリル樹脂板である。透明板１１〜１６のうち、最上部の透明板１１と最下部の透明板１６には、他の透明板１２〜１５よりも厚い透明板が使用されている。透明板１２〜１５の各々の下面には、画像が印刷されている。図１の例では、水中に泳ぐ幾つかの魚と亀の画像が印刷されている。それにより、鑑賞用構造体１０１は、池あるいは水槽を上から覗き見るような感覚を鑑賞者に与える。魚と亀は、異なる深さに印刷されることにより、深さ方向に奥行き感が付与される。さらには、それぞれ一匹の魚及び亀自体も、複数の透明板に分けて印刷されることにより、奥行き感が付与される。このように、鑑賞用構造体１０１は、水面下で魚等が泳ぐ池あるいは水槽の様子を、立体感を持って再現する。
【００２６】
図３〜図５は、鑑賞用構造体１０１の積層透明板１０の構造を説明する説明図である。積層透明板１０には、図３の平面図に例示するように、一匹の魚２０と一匹の亀３０とがあしらわれているものとする。これらの魚２０と亀３０の画像は、互いに異なる深さに印刷されるとともに、魚２０自体、亀３０自体も、それらの各部が異なる深さに分けて印刷されている。以下に、その印刷の仕方について詳述する。
【００２７】
図４は、図３に例示した積層透明板１０のうち、魚２０の画像が印刷された部分の構造を示している。図４の例では、魚２０は、透明板１３〜１５に分けて印刷されている。透明板１３と１４には、魚２０の胴体が、互いに重なり合う位置に印刷されている。上層側の透明板１３に印刷される魚２０の胴体の画像２２は、半透明である。これに対して、その下層にある透明板１４に印刷される魚２０の胴体の画像２４には、例えば白色である下地２５が、重ねて印刷されている。これにより、透明板１４に印刷された画像２４は不透明な画像となり、魚２０の胴体が透けて見えるという不自然さが解消される。上層の半透明な画像２２は、下層の画像２４と同じ魚２０の胴体を表現するものであるが、図４（ｄ）に簡略化して円形の画像として表すように、段階的又は連続的に中央部が濃く、周辺部が薄くなるように印刷される。それにより、積層透明板１０を上方から鑑賞したときに、画像２２と画像２４との重なりにより、魚２０の胴体に、上方向への膨らみのある奥行き感が現れる。なお、図４（ｄ）では、画像２４は輪郭線のみを表している。また、図４（ｅ）の断面図では、印刷された画像２２，２４，２６及び下地２５を明瞭に示すために、これらの画像２２，２４，２６及び下地２５を、便宜上厚みをもって表している。
【００２８】
透明板１４よりも下層の透明板１５には、胴体よりも下方にある魚２０のひれの画像２６が印刷される。それにより、ひれと胴体との間にも、奥行き感が生まれる。ひれの画像２６には、下地が重ねて印刷されず、画像２６は半透明となる。それにより、魚２０の薄く、半透明であるひれの様子が、より写実的（リアル）に鑑賞者の目に映る。
【００２９】
画像２２，２４，２６の印刷は、コンピュータにより処理可能な画像データを用いて行うことができる。魚２０の画像のデータは、例えば、デジタル式カメラにより写真撮影して得ることができる。画像編集ソフトウェアを用いて、この画像データから、胴体の画像２４とひれの画像２６とを分離することができ、胴体の画像２４にさらにグラデーション処理等の濃淡に変化を付与する処理を行うことにより、胴体の画像２２を得ることができる。下地２５の画像は、例えば胴体の画像２４の輪郭のデータから得ることができる。かかる画像データを用いて樹脂等へ印刷する技術は周知であるため、その詳細な説明は略する。透明のアクリル樹脂への印刷には、ＵＶ印刷が適している。
【００３０】
透明板１３〜１５への印刷は、上記の通り、それらの下面に施される。これにより、上面から積層透明板１０を覗いたときに、画像２２，２４，２６の表面が平滑で微細な凹凸が現れず、画像の仕上がりが美的に映る。また、図２に例示するように、最上層に厚みのある透明板１１が配置されることにより、魚２０が水面から沈んだ感覚が強調される。また、最下層に厚みのある透明板１６が配置されることにより、魚２０が水底から浮いている感覚が強調される。印刷がなされ後に、透明板１１〜１６は、互いに接するように積み重ねることにより、一体的な透明体である積層透明板１０となる。積層透明板１０を上方から覗く鑑賞者には、透明板１１〜１６の間の界面は視認されない。すなわち、積層透明板１０は、あたかも透明な水であるかのような印象を、鑑賞者に与える。
【００３１】
図２に例示するように、積層透明板１０は、不透明な枠体１の中に収容される。それにより、積層透明板１０の四周に現れる透明板１１〜１６の間のつなぎ目が隠れるので、積層透明板１０の一体感が鑑賞者にさらに強く印象づけられる。枠体１には、積層透明板１０の下面を覆う、不透明の底板３が固着されているので、積層透明板１０には、上方からのみ外光が入ることとなる。このため、積層透明板１０に印刷された画像が、より見易くなるとともに、鑑賞者は、池あるいは水槽を覗き見るような印象を、より強く受けることとなる。さらに、図１にも例示するように、上方から入射する外光による魚２０、亀３０等の影（かげ）が、底板３に映ることとなり、魚２０、亀３０等がより立体的に印象づけられる。
【００３２】
図５は、図３に例示した積層透明板１０のうち、亀３０の画像が印刷された部分の構造を示している。図５の例では、亀３０は、透明板１２〜１５に分けて印刷されている。透明板１２と１３には、亀３０の甲羅が、互いに重なり合う位置に印刷されている。上層側の透明板１２に印刷される甲羅の画像３２は、半透明である。これに対して、その下層にある透明板１３に印刷される同じ甲羅の画像３４には、例えば白色である下地３５が、重ねて印刷されている。上層の半透明な画像３２は、下層の画像３４と同じ甲羅を表現するものであるが、図３の画像２２と同様に、段階的又は連続的に中央部が濃く、周辺部が薄くなるように印刷される。それにより、積層透明板１０を上方から鑑賞したときに、画像３２と画像３４との重なりにより、亀３０の甲羅に、上方向への膨らみのある奥行き感が現れる。
【００３３】
透明板１３よりも下層の透明板１４及び１５には、甲羅よりも下方にある亀３０の手足、首、尾の画像３６、３８が、それぞれ印刷される。それにより、甲羅と、手足等との間にも、奥行き感が生まれる。透明板１４と１５には、亀３０の手足等が、互いに重なり合う位置に印刷される。甲羅の画像３２，３４と同様に、上層側の透明板１４に印刷される画像３６は、濃淡を付した半透明の画像であり、下層側の透明板１５に印刷される画像３８は、白色等の下地３９を重ねた不透明な画像である。それにより、亀３０の手足等に膨らみのある奥行き感が付与される。
【００３４】
図４及び図５の例からも理解されるように、魚２０の画像と亀３０の画像は、互いに深さの異なる透明板に印刷されている。それにより、魚２０と亀３０とが、互いに水中の深さの異なる場所に泳いでいるかのような立体感が演出される。
【００３５】
図４の半透明の画像２２、図５の半透明の画像３２、３６は、中央部から周辺へ至るのに伴い、薄くなるように印刷された。これに対して、一般に、画像が表現する対象物が、鑑賞者の方（図１〜図５の例では上方）へ膨らむのに伴い濃く、後退する（図１〜図５の例では下方へ向かう）のに伴い薄くなるように、印刷しても良い。例えば、対象物が、２つの頂点を有する山のような膨らみを有するものであれば、それぞれの頂点に至るほど濃く、低く下るほど薄く印刷することができる。すなわち、対象物の膨らみの度合い応じて、等高線のように段階的、あるいは連続的に濃淡を付してもよい。それにより、対象物の画像に奥行き感が演出される。
【００３６】
（変形形態）
図６は、図５の構造の変形形態を例示する断面図である。図６に例示するように、画像は透明板の下面、すなわち鑑賞側から見て深い方の主面に代えて、上面すなわち浅い方の主面に印刷されてもよい。図５において、画像３４及び下地３５は、透明板１３の下面に印刷されていた。これに対し、図６の例では、透明板１３の下面と同じ深さである透明板１４の上面に、画像３４及び下地３５が印刷されている。この場合、先に下地３５が印刷され、その後に、下地２５の上に画像３４が印刷される。
【００３７】
図１〜図５には、画像が印刷される透明板が、４枚の透明板１２〜１５である例を示した。これに対して、さらに多くの透明板を積層させて、深さの異なる様々な位置に、幾つもの魚などの鑑賞対象物の画像を配置しても良い。また、画像が印刷される透明板は、最小限度として１枚であっても良い。画像が印刷される透明板が１枚である場合には、画像はその表裏両主面に印刷される。
【００３８】
画像２２、２４、２６、３２、３４、３６、３８及び下地２５、３５が印刷された透明板１２〜１５の主面には、その全面を覆うように、透明な画像がさらに印刷されても良い。それにより、積層透明板１０を構成する透明板１１〜１６の間の密着性が向上する。
【００３９】
例示した鑑賞用構造体１０１は、透明板１１〜１６が、それらの主面が水平になるように、上下に積層され、上方から見下ろして鑑賞することが想定された置物であった。この場合、鑑賞用構造体１０１の鑑賞側は上方である。一般に本発明は、任意の方向から鑑賞することを想定した鑑賞用構造体として実施することが可能である。例えば本発明は、透明板１１〜１６が、それらの主面が直立するように、水平方向に積層された鑑賞用構造体として実施することも可能である。この場合、鑑賞用構造体の鑑賞側は、正面側となる。このように、一般に鑑賞用構造体の鑑賞側は、透明板の表裏いずれかの主面に向き合う側となる。
【００４０】
図１から図６に例示した透明板１１〜１６は、主面が平坦な平板であった。一般に、本発明の透明板は、平板に限らず主面が曲面をなすものであってもよい。例えば、透明板は雨樋のように円筒体の一部をなす形状であってもよい。
【符号の説明】
【００４１】
１  枠体、  ３  底板、  １０  積層透明板、  １１〜１６  透明板、  ２０  魚、  ２２，２４  画像、  ２５  下地、  ２６  画像、  ３０  亀、  ３２，３４  画像、  ３５  下地、  ３６，３８  画像、  ３９  下地、  １０１  鑑賞用構造体。
【図１】
0006621199.tif 000002
【図２】
0006621199.tif 000003
【図３】
0006621199.tif 000004
【図４】
0006621199.tif 000005
【図５】
0006621199.tif 000006
【図６】
0006621199.tif 000007